(57)【要約】  フレキシブルフラットケーブルを伝送する高周波信号の減衰量を低減できる電子機器を提供する。この電子機器は、第１の回路が搭載された第１の回路基板と、第２の回路が搭載された第２の回路基板と、支持部と、支持部上に配置された第１の回路基板と第２の回路基板とを互いに接続し、第１の回路と第２の回路との間で送受信される信号を伝送するように構成されたフレキシブルフラットケーブル（２００）と、を備え、フレキシブルフラットケーブルに折り目（２１０）を設け、折り目が支持部に接触するようにフレキシブルフラットケーブルが設置されている。
2015145975.tif 000002
【特許請求の範囲】
【請求項１】
第１の回路が搭載された第１の回路基板と、
第２の回路が搭載された第２の回路基板と、
支持部と、
前記支持部上に配置され、前記第１の回路基板と前記第２の回路基板とを互いに接続し、前記第１の回路と前記第２の回路との間で送受信される信号を伝送するように構成されたフレキシブルフラットケーブルと、を備え、
前記フレキシブルフラットケーブルに折り目を設け、前記折り目が前記支持部に接触するように前記フレキシブルフラットケーブルが設置された、
電子機器。
【請求項２】
前記フレキシブルフラットケーブルは、前記支持部と接触する前記折り目を起点としてアーチ状に突出した領域が生じるように設置された、
請求項１に記載の電子機器。
【請求項３】
前記フレキシブルフラットケーブルは、複数の前記折り目を有し、前記折り目と前記支持部との接触部間の間隔が、隣り合う前記折り目間の間隔よりも短くなるように設置された、
請求項１に記載の電子機器。
【請求項４】
前記フレキシブルフラットケーブルは、シールド面と信号面とを備え、前記シールド面が谷折りとなり前記信号面が山折りとなるように前記折り目が形成され、前記信号面の前記山折りされた領域が前記支持部に接触するように設置された、
請求項１に記載の電子機器。
【請求項５】
映像を表示する表示部および前記表示部を支える支持部を有する表示パネルと、
第１の回路が搭載された第１の回路基板と、
第２の回路が搭載された第２の回路基板と、
前記支持部上に配置され、前記第１の回路基板と前記第２の回路基板とを互いに接続し、前記第１の回路と前記第２の回路との間で送受信される信号を伝送するように構成されたフレキシブルフラットケーブルと、を備え、
前記フレキシブルフラットケーブルに折り目を設け、前記折り目が前記支持部に接触するように前記フレキシブルフラットケーブルが設置された、
表示装置。
【発明の詳細な説明】
【技術分野】
【０００１】
本開示は、複数の回路基板がフレキシブルフラットケーブルで互いに電気的に接続された構成を有する電子機器に関する。
【背景技術】
【０００２】
特許文献１は、フレキシブルフラットケーブル（以下、「ＦＦＣ」と記す）に関する技術を開示する。【０００３】
２つの回路基板がＦＦＣで互いに電気的に接続されて構成された電子機器では、映像信号などの情報量が多い信号を伝送するときに、差動データ伝送方式が使われることがある。【０００４】
差動データ伝送方式の代表的なものの１つに、ＬＶＤＳ（Ｌｏｗ  Ｖｏｌｔａｇｅ  Ｄｉｆｆｅｒｅｎｔｉａｌ  Ｓｉｇｎａｌｉｎｇ）がある。ＬＶＤＳは、高速なデジタル・インターフェイスを可能にする技術であり、例えば、表示装置の内部の回路基板間で映像信号を伝送するとき等に使用される。ＬＶＤＳの伝送レートは１チャネルあたり数百Ｍｂｐｓである。【０００５】
近年、表示パネルが高解像度化している。例えば、約４０００×２０００の画素（ピクセル）を有する表示パネル（以下、「４ｋ２ｋパネル」と記す）等もある。このような高解像度化した表示パネルを備えた表示装置では、映像の情報量が従来よりも増加するため、映像信号の伝送量が従来よりも増加する。そのため、このような表示装置では、映像信号の伝送にＬＶＤＳを用いたとしても、伝送すべき信号の本数（チャネル数）の増加を抑えることは困難である。そして、信号本数の増加に対応するために１つのＦＦＣに含まれる信号線の本数（チャネル数）が増加すると、回路基板を設計する際に様々な制約や困難が生じることがある。【０００６】
１チャネルあたりの信号伝送量を増加できれば、１つのＦＦＣに含まれる信号線の本数（チャネル数）を低減することができる。そして、１チャネルあたりの信号伝送量をギガビットレート（Ｇｐｂｓ）にすることが可能な伝送方式が、ＬＶＤＳの代替技術として提案されている。この伝送方式は、例えば、最大伝送レートが３．７５ＧｂｐｓのＶ−ＢＹ−Ｏｎｅ（登録商標）ＨＳや、最大伝送レートが５．４ＧｂｐｓのｅＤＰ（ｅｍｂｅｄｄｅｄ  Ｄｉｓｐｌａｙ  Ｐｏｒｔ）等である。【０００７】
これらの伝送方式にもとづく高周波信号を回路基板間で伝送するためのケーブルには、一般的に、インピーダンス整合され、伝送信号の品質を保つことができるＦＦＣが使用される。そして、そのようなＦＦＣは、一般的に、信号が流れる配線導体が絶縁体で覆われ、その配線導体の一方の面（シールド面）に、電磁波ノイズの漏洩や混入を防止するために、誘電体、ＧＮＤ用導体金属箔、絶縁体、を重ねた構造を有する。以下、ＦＦＣにおける一方の面（シールド面）を「ＦＦＣのシールド面」、他方の面を「ＦＦＣの信号面」と記す。【０００８】
上記のＦＦＣで互いに接続された回路基板を有する電子機器では、金属で形成された部材（金属材料）にＦＦＣの信号面が面接触すると、その接触領域に発生する静電容量と、配線抵抗等の抵抗成分とでローパスフィルタ（ＬＰＦ）が形成されることがある。そして、このＬＰＦが、ＦＦＣを流れる高周波信号を減衰させることがある。この静電容量は、ＦＦＣの信号面と金属材料との接触面積に比例して大きくなり、この静電容量が大きくなるほどＦＦＣを流れる高周波信号の減衰量は大きくなりやすい。【０００９】
例えば表示パネルとして液晶パネルを備えた表示装置では、回路基板は、液晶パネルの背面側を覆う金属材料（液晶パネルの表示部を支える支持部）上に配置されることが一般的である。ＦＦＣは、電磁波ノイズの漏洩や混入を防止するために、シールド面が表示装置のバックカバーに対向するように配置される。したがって、ＦＦＣに「たわみ」等が生じると、ＦＦＣの信号面が金属材料に面接触してしまう可能性がある。【００１０】
そして、ギガビットレートの高周波信号を内部の回路基板間で送受信するように構成された電子機器では、金属材料とＦＦＣの信号面とに面接触が生じると、ＦＦＣを伝送する信号が減衰し、受信側の回路基板が信号を正常に受信できない可能性がある。
【先行技術文献】
【特許文献】
【００１１】
【特許文献１】特開２００７-３１１７０９号公報
【発明の概要】
【００１２】
本開示は、複数の回路基板間で互いに送受信される高周波信号がＦＦＣを伝送するときの減衰量を低減できる電子機器、および表示装置を提供する。
【００１３】
本開示における電子機器は、第１の回路が搭載された第１の回路基板と、第２の回路が搭載された第２の回路基板と、支持部と、フレキシブルフラットケーブルと、を備える。フレキシブルフラットケーブルは、支持部上に配置され、第１の回路基板と第２の回路基板とを互いに接続し、第１の回路と第２の回路との間で送受信される信号を伝送するように構成されている。そして、フレキシブルフラットケーブルに折り目を設け、その折り目が支持部に接触するようにフレキシブルフラットケーブルは設置される。
【００１４】
本開示における表示装置は、映像を表示する表示部およびその表示部を支える支持部を有する表示パネルと、第１の回路が搭載された第１の回路基板と、第２の回路が搭載された第２の回路基板と、フレキシブルフラットケーブルと、を備える。フレキシブルフラットケーブルは、支持部上に配置され、第１の回路基板と第２の回路基板とを互いに接続し、第１の回路と第２の回路との間で送受信される信号を伝送するように構成されている。そして、フレキシブルフラットケーブルに折り目を設け、その折り目が支持部に接触するようにフレキシブルフラットケーブルは設置される。
【図面の簡単な説明】
【００１５】
【図１】図１は、実施の形態１における表示装置の背面図である。
【図２】図２は、実施の形態１におけるフレキシブルフラットケーブルの概略図である。
【図３】図３は、実施の形態１におけるフレキシブルフラットケーブルの端部断面の部分拡大図である。
【図４Ａ】図４Ａは、実施の形態１におけるフレキシブルフラットケーブルの端部を信号面側から見た平面図である。
【図４Ｂ】図４Ｂは、実施の形態１におけるフレキシブルフラットケーブルの折り目を部分拡大して示す断面図である。
【図５Ａ】図５Ａは、図１のＡ−Ａ線における断面図である。
【図５Ｂ】図５Ｂは、実施の形態１における表示装置のフレキシブルフラットケーブル近傍を部分的に拡大して示した平面図である。
【図６】図６は、実施の形態１における表示装置に設置されたフレキシブルフラットケーブルを流れる信号の周波数と減衰量との関係を示す図である。
【発明を実施するための形態】
【００１６】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１７】
なお、添付図面および以下の説明は、当業者が本開示を十分に理解するために提供されるのであって、これらにより特許請求の範囲に記載の主題を限定することは意図されていない。
【００１８】
（実施の形態１）
以下、図１〜図６を用いて、実施の形態１を説明する。なお、本実施の形態では、ＦＦＣを備えた電子機器の一例として、液晶パネルを表示パネルとして備える表示装置を挙げているが、本開示は何らこの表示装置に限定されるものではない。本開示は、複数の回路基板をＦＦＣで互いに接続し、回路基板間で送受信する高周波信号をＦＦＣを介して伝送する電子機器に適用可能である。
【００１９】
［１−１．構成］
図１は、実施の形態１における表示装置１００の背面図である。図１には、バックカバーを外した表示装置１００を背面側から見た平面図を概略的に示している。なお、本実施の形態では、表示装置１００において、映像の表示面が設けられた側（映像表示側）を正面とし、映像の表示面に対向する側（バックカバー側）を背面とする。
【００２０】
表示装置１００は、表示パネルと、信号基板１１０と、タイミングコントローラ基板（以下、「ＴＣｏｎ基板」と記す）１２０と、電源基板１０２と、音声を出力する複数のスピーカー１０３と、複数のモジュール部１０４と、ＦＦＣ２００と、を有する。
【００２１】
表示パネルは、映像を表示するための複数の表示素子が２枚のガラス基板間に形成された表示部と、この表示部（ガラス基板）を支えるシャーシ部１０１と、を備える。シャーシ部１０１は、支持部の一例である。ガラス基板は表示装置１００の正面側に配置され、シャーシ部１０１は表示装置１００の背面側に配置されている。そのため、図１には、表示パネルのシャーシ部１０１が示され、表示部は示されていない。このシャーシ部１０１は、例えばアルミニウム等の金属を材料として形成されているが、他の材料で形成されていてもよい。
【００２２】
信号基板１１０は、外部の映像信号発生装置や放送局等から受信した信号（入力映像信号等）に信号処理を施して出力する信号処理回路（図示せず）、が搭載された回路基板である。信号処理回路は第１の回路の一例であり、信号基板１１０は第１の回路基板の一例である。
【００２３】
ＴＣｏｎ基板１２０は、信号基板１１０に搭載された信号処理回路から出力される映像信号を受け取り、この映像信号にもとづく映像を表示パネルの表示部に表示するための信号を生成する駆動回路（図示せず）、が搭載された回路基板である。駆動回路は第２の回路の一例であり、ＴＣｏｎ基板１２０は第２の回路基板の一例である。
【００２４】
電源基板１０２は、交流の家庭用電源を直流電源に変換する電源回路（図示せず）が搭載された回路基板である。表示装置１００において、信号基板１１０、ＴＣｏｎ基板１２０、および電源基板１０２の各回路基板は、シャーシ部１０１上に配置されている。表示装置１００では、各回路基板はシャーシ部１０１に固定されているものとするが、本実施の形態は、各回路基板の配置位置や固定方法を何ら限定するものではない。各回路基板は支持部以外の部材（例えば、筐体等）に固定されていてもよく、また、シャーシ部１０１の直上に配置されてなくてもよい。
【００２５】
モジュール部１０４は、例えば、リモートコントローラからの赤外線信号を受信する受光部、Ｗｉ−Ｆｉ（登録商標）接続部、Ｂｌｕｅｔｏｏｔｈ（登録商標）接続部、等であるが、何らこれらに限定されるものではない。
【００２６】
各スピーカー１０３と信号基板１１０、および各モジュール部１０４と信号基板１１０、のそれぞれは、ワイヤーハーネス３００で互いに電気的に接続されている。
【００２７】
ＦＦＣ２００は、シャーシ部１０１上に配置され、信号基板１１０とＴＣｏｎ基板１２０とを互いに接続し、信号処理回路と駆動回路との間で送受信される高周波信号を伝送するように構成されている。
【００２８】
信号基板１１０は、端子群１１２を有する。端子群１１２は、例えば、ＨＤＭＩ（登録商標）端子、ＵＳＢ（Ｕｎｉｖｅｒｓａｌ  Ｓｅｒｉａｌ  Ｂｕｓ）端子、ＹＵＶ端子、チューナー、等であるが、何らこれらに限定されるものではない。そして、信号基板１１０には、端子群１１２から入力される映像信号および音声信号の復調やノイズ除去処理等の信号処理を行うように構成された信号処理回路を集積したＬＳＩ（Ｌａｒｇｅ  Ｓｃａｌｅ  Ｉｎｔｅｇｒａｔｅｄ  ｃｉｒｃｕｉｔ。図示せず）が搭載されている。
【００２９】
信号基板１１０に搭載された信号処理回路は、入力映像信号を表示パネルの表示部に適した映像信号に変換し、変換後の映像信号（デジタルの映像信号）を出力するように構成されている。この信号処理回路は、表示パネルの表示部の駆動方式や画素数等にもとづき、入力映像信号に様々な信号処理を施す。また、この信号処理回路は、スピーカー１０３および各モジュール部１０４を制御するようにも構成されている。
【００３０】
なお、信号処理回路に代えてプロセッサーを信号基板１１０に搭載し、信号処理回路と同等の動作をするように作成したプログラムをこのプロセッサーで実行させる構成としてもよい。
【００３１】
ＴＣｏｎ基板１２０には、信号基板１１０上の信号処理回路から出力されてくるデジタルの映像信号を受信し、その映像信号を表示パネルの表示部の仕様にあわせた信号に変換するように構成された駆動回路を集積したＩＣ（Ｉｎｔｅｇｒａｔｅｄ  ｃｉｒｃｕｉｔ。図示せず）が搭載されている。ＴＣｏｎ基板１２０に搭載された駆動回路は、信号基板１１０に搭載された信号処理回路から出力される映像信号を受信し、その映像信号にもとづく映像を表示パネルの表示部に表示するために、その映像信号を表示パネルの表示部に適した形式にし、適切なタイミングで出力するように構成されている。そして、駆動回路は、信号処理回路から出力されてくる映像信号にもとづく映像を表示パネルの表示部に表示するために、表示部の各表示素子（液晶セル）を駆動する信号を、その映像信号にもとづき出力する。
【００３２】
なお、駆動回路に代えてプロセッサーをＴＣｏｎ基板１２０に搭載し、駆動回路と同等の動作をするように構成したプログラムをこのプロセッサーで実行させる構成としてもよい。
【００３３】
信号基板１１０とＴＣｏｎ基板１２０とは、２本のＦＦＣ２００で互いに電気的に接続されている。信号基板１１０上には、ＦＦＣ２００を信号基板１１０上の信号処理回路に電気的に接続するためのレセプタクルコネクタ１１１が２つ実装されている。また、ＴＣｏｎ基板１２０上にも、ＦＦＣ２００をＴＣｏｎ基板１２０上の駆動回路に電気的に接続するためのレセプタクルコネクタ１２１が２つ実装されている。以下、それぞれのレセプタクルコネクタを、単に「コネクタ」と記す。
【００３４】
コネクタ１１１にはＦＦＣ２００の一方の端部が接続され、コネクタ１２１にはＦＦＣ２００の他方の端部が接続される。これにより、信号基板１１０上の信号処理回路とＴＣｏｎ基板１２０上の駆動回路とは、互いに電気的に接続される。信号基板１１０上の信号処理回路とＴＣｏｎ基板１２０上の駆動回路との間では、高周波のデジタル映像信号が、ＦＦＣ２００を介して高速に（例えば、ギガビットレートで）送受信される。
【００３５】
なお、信号基板１１０とＴＣｏｎ基板１２０とを互いに接続するＦＦＣ２００の数は、何ら２本に限定されるものではない。ＦＦＣ２００の数は、１本でもよく、３本以上でもよい。
【００３６】
信号基板１１０は、ワイヤーハーネス３００を信号処理回路に電気的に接続するコネクタ１１３を有する。一方の端部をコネクタ１１３に接続し、他方の端部をモジュール部１０４またはスピーカー１０３に接続したワイヤーハーネス３００は、信号基板１１０上の信号処理回路と、モジュール部１０４またはスピーカー１０３との間で送受信される信号を伝送する。ワイヤーハーネス３００は、表示パネルのシャーシ部１０１との間にＦＦＣ２００を挟み込むように配置されている。そのため、図１に示すように、ワイヤーハーネス３００はＦＦＣ２００と交差する。ワイヤーハーネス３００は、長さが相対的に長く、またそれぞれの長さが互いに異なるため、分散しやすい。そこで、表示装置１００では、ワイヤーハーネス３００が分散しないように、ワイヤーハーネス３００を互いに纏め、接着テープ４００で表示パネルのシャーシ部１０１上に固定している。表示装置１００では、接着テープ４００でシャーシ部１０１上に固定されたワイヤーハーネス３００により、ＦＦＣ２００はシャーシ部１０１に押圧されている。
【００３７】
信号基板１１０は、ケーブル３５０を接続するためのコネクタ１１４を有する。電源基板１０２は、ケーブル３５０を接続するためのコネクタ１１５を有する。一方の端部をコネクタ１１４に接続し、他方の端部をコネクタ１１５に接続したケーブル３５０により、信号基板１１０上の電源および接地電位は、電源基板１０２上の電源回路の電源および接地電位のそれぞれと電気的に接続される。これにより、電源基板１０２上の電源回路から信号基板１１０上の信号処理回路に、適切に設定された電圧が供給される。
【００３８】
なお、表示装置１００が備える各回路の動作は、一般的に使用されている液晶テレビ等の表示装置と実質的に同じであるので、詳細な説明は省略する。
【００３９】
次に、ＦＦＣ２００について説明する。
【００４０】
図２は、実施の形態１におけるＦＦＣ２００の概略図である。図２には、信号基板１１０のコネクタ１１１およびＴＣｏｎ基板１２０のコネクタ１２１に接続する前のＦＦＣ２００の一例を示している。
【００４１】
ＦＦＣ２００には、表（おもて）面と裏面とがある。本実施の形態では、ＦＦＣ２００の表面をシールド面２０６とし、裏面を信号面２０７とする。ＦＦＣ２００は、一定の可撓性（ｆｌｅｘｉｂｉｌｉｔｙ）、および繰り返しの折り曲げに耐え得る耐久性、を有するように形成されている。そのため、ＦＦＣ２００は、任意の形状に折り曲げた状態を維持することができる。例えば、ＦＦＣ２００は、ＦＦＣ２００に設けられた折り目を維持することができる。折り目については後述する。
【００４２】
図２には、一例として、ＦＦＣ２００を約Ｘｍｍ（ミリメートル。例えば、約５０ｍｍ）の長さで繰り返し折り曲げた状態を示している。ＦＦＣ２００は、このように折り曲げた状態を維持できるので、例えば保管や運送に要する容積を低減できる。
【００４３】
図３は、実施の形態１におけるＦＦＣ２００の端部断面の部分拡大図である。図３には、図２に破線で示す領域の部分断面図を拡大して示している。
【００４４】
本実施の形態に示すＦＦＣ２００は、複数の物質層を積層して形成され、約０．５〜１ｍｍの厚みを有する。ＦＦＣ２００は、例えば図２に示すように、裏面（信号面２０７）から順に、絶縁体皮膜２０２ａ、導体２０１、絶縁体皮膜２０２ｂ、誘電体２０３、導体２０４、絶縁体２０５、の６層が積層されて構成されている。したがって、裏面（信号面２０７）として外部に露出するのは絶縁体皮膜２０２ａの一方の面であり、表面（シールド面２０６）として外部に露出するのは絶縁体２０５の一方の面である。絶縁体皮膜２０２ａ、絶縁体皮膜２０２ｂ、絶縁体２０５は、例えば合成樹脂等の比較的絶縁性が高い材料で形成されている。
【００４５】
導体２０１は、信号の伝送路であり、高周波信号を伝送できるように例えば銅等の比較的導電性が高い材料で形成されている。信号基板１１０とＴＣｏｎ基板１２０との間で伝送される信号（例えば、高周波のデジタル映像信号等）は、この導体２０１を通過する。なお、導体２０１は、複数の線状に分かれており、ＦＦＣ２００は、その線の数に応じた数の信号を通すことができる。本実施の形態における表示装置１００は、導体２０１の線数が５１本と４１本の２つのＦＦＣ２００を使用しているが、導体２０１の線数は何らこれらの数値に限定されるものではない。
【００４６】
絶縁体皮膜２０２ａの他方の面は導体２０１の一方の面に密着しており、導体２０１の他方の面は絶縁体皮膜２０２ｂの一方の面に密着している。このように、導体２０１の両面は、比較的絶縁性が高い絶縁体皮膜２０２ａ、絶縁体皮膜２０２ｂで覆われている。
【００４７】
絶縁体皮膜２０２ｂの他方の面には誘電体２０３の一方の面が密着しており、誘電体２０３の他方の面には導体２０４の一方の面が密着している。導体２０４は、例えば銅等の比較的導電性が高い材料で形成されており、接地電位（グランドライン、以下「ＧＮＤ」とも記す）に接続される。そして、導体２０４の他方の面は、絶縁体２０５の他方の面に密着している。
【００４８】
ただし、ＦＦＣ２００の各端部２０８は、コネクタ１１１、１２１に電気的に接続できるように、絶縁体皮膜２０２ａおよび絶縁体２０５で覆われておらず、導体２０１、絶縁体皮膜２０２ｂ、誘電体２０３、導体２０４を積層した領域が露出している。一方の端部２０８がコネクタ１１１に接続され、他方の端部２０８がコネクタ１２１に接続されることで、導体２０１とコネクタ１１１およびコネクタ１２１とが電気的に接続され、導体２０４とコネクタ１１１およびコネクタ１２１とが電気的に接続される。これにより、信号基板１１０の接地電位とＴＣｏｎ基板１２０の接地電位は実質的に同電位となり、また、信号基板１１０上の信号処理回路とＴＣｏｎ基板１２０上の駆動回路との間で信号の送受信を行うことができる。
【００４９】
ＦＦＣ２００では、誘電体２０３および（または）導体２０４の材料や厚みを調整し、導体２０１と導体２０４のインピーダンスを１００Ωに整合している。なお、ＦＦＣ２００は何ら６層構造に限定されるものではなく、厚みやインピーダンスも何ら上述した数値に限定されるものではない。
【００５０】
本実施の形態において、ＦＦＣ２００は、上述した構造を有するため、シールド面２０６と信号面２０７とで電磁波ノイズの遮蔽性（電磁波ノイズの漏洩および混入を防止する能力）に差がある。シールド面２０６から信号の伝送路である導体２０１までの距離は、信号面２０７から導体２０１までの距離よりも大きい。さらに、導体２０１とシールド面２０６との間には、接地電位に接続された導体２０４を含む複数の物理層が挟まれており、この導体２０４は電磁波を遮蔽するシールド層として機能する。一方、導体２０１と信号面２０７との間には絶縁体皮膜２０２ａの１層しかない。そのため、信号面２０７よりもシールド面２０６の方が、電磁波ノイズの遮蔽性に優れている。
【００５１】
本実施の形態における表示装置１００では、ＦＦＣ２００は、シールド面２０６が表示装置１００の背面側に、信号面２０７が表示パネルのシャーシ部１０１側になるように、配置される。これは、ＦＦＣ２００を通る高周波信号による電磁波ノイズが表示装置１００の外部に漏洩するのを防止するためである。
【００５２】
図４Ａは、実施の形態１におけるＦＦＣ２００の端部２０８を信号面２０７側から見た平面図である。図４Ａでは、ＦＦＣ２００の一部を省略して示している。また、図４Ａでは、絶縁体皮膜２０２ａの下に配線された導体２０１を破線で示している。
【００５３】
上述したように、表示装置１００では、導体２０１の線数が互いに異なる（例えば、５１本と４１本）２つのＦＦＣ２００を使用している。ＦＦＣ２００は、一方の端部２０８はコネクタ１１１に接続できるように、他方の端部２０８はコネクタ１２１に接続できるように、それぞれの形状が設定されている。そして、上述したように、ＦＦＣ２００の端部２０８では、導体２０１は絶縁体皮膜２０２ａで覆われておらず、また、導体２０４は絶縁体２０５で覆われていない。したがって、端部２０８の信号面２０７側では、図４Ａに示すように、導体２０１と絶縁体皮膜２０２ｂとが交互に露出している。絶縁体皮膜２０２ｂが露出しているのは、導体２０１が設けられていない領域である。
【００５４】
そして、本実施の形態に示すＦＦＣ２００には、複数の折り目２１０が設けられている。各折り目２１０は、シールド面２０６側が谷折りになり、信号面２０７側が山折りになるように形成されている。したがって、表示装置１００に設置されたＦＦＣ２００には、折り目２１０と折り目２１０との間がシールド面２０６側（表示装置１００のバックカバー側）にアーチ状に突出した領域が生じる。本実施の形態では、約５０〜７０ｍｍに設定された間隔（図４Ａに「Ｗａ」で示す）で、９つの折り目２１０をＦＦＣ２００に設けている。
【００５５】
図４Ｂは、実施の形態１におけるＦＦＣ２００の折り目２１０を部分拡大して示す断面図である。なお、図４Ｂには、表示パネルのシャーシ部１０１を示し、表示部は省略している。
【００５６】
図４Ｂに示すように、折り目２１０には、約５〜４０ｍｍの幅（図４Ｂに「Ｗｄ」で示す）に設定された折り返しが設けられている。そして、本実施の形態では、折り目２１０の折り返し部分（山折りされた信号面２０７の領域）が表示パネルのシャーシ部１０１に接触するように、ＦＦＣ２００を表示装置１００に設置する。
【００５７】
なお、上述したＦＦＣ２００に設ける折り目２１０の数、折り目２１０の間隔、および折り返しの幅、は単なる一例であり、何ら上述した数値に限定されるものではない。ＦＦＣ２００に設ける折り目２１０の数、折り目２１０の間隔、および折り返しの幅、等は、ＦＦＣ２００を使用する電子機器（または表示装置）の仕様や大きさ、およびＦＦＣ２００の素材や大きさ等に応じて、適切に設定することが望ましい。
【００５８】
なお、ＦＦＣ２００の信号面２０７が、金属を材料とする表示パネルのシャーシ部１０１に接触する面積は、できるだけ小さい方が望ましい。したがって、ＦＦＣ２００に設ける折り目２１０の数はより少ない方が好ましく、折り返しの幅もより狭い方が好ましい。
【００５９】
図５Ａは、図１のＡ−Ａ線における断面図である。図５Ｂは、実施の形態１における表示装置１００のＦＦＣ２００近傍を部分的に拡大して示した平面図である。図５Ａ、図５Ｂには、ＦＦＣ２００を信号基板１１０とＴＣｏｎ基板１２０とに接続した状態を、断面図および平面図を用いて示している。図５Ａには、表示パネルのシャーシ部１０１を示し、表示部は省略している。
【００６０】
なお、図５Ａ、図５Ｂでは、信号基板１１０とＴＣｏｎ基板１２０との離間距離を「Ｗｂ」としている。
【００６１】
図５Ａ、図５Ｂに示すように、信号基板１１０とＴＣｏｎ基板１２０とを電気的に接続するＦＦＣ２００は、表示パネルのシャーシ部１０１上に配置される。ＦＦＣ２００の長さは、信号基板１１０とＴＣｏｎ基板１２０との離間距離Ｗｂよりも長くなるように設定されている。そのため、各端部２０８を信号基板１１０とＴＣｏｎ基板１２０とにそれぞれ接続したＦＦＣ２００には、ＦＦＣ２００が有する弾性力により、両方の端部２０８から中心方向に向かう応力が加わる。この応力は、ＦＦＣ２００の各折り目２１０を、表示パネルのシャーシ部１０１に押圧する力として働く。
【００６２】
これにより、ＦＦＣ２００の各折り目２１０は表示パネルのシャーシ部１０１に押し付けられる。ＦＦＣ２００は、折り目２１０の折り返しが、折り目２１０同士の間隔Ｗａよりも短い間隔Ｗｃで、表示パネルのシャーシ部１０１に接触する。すなわち、ＦＦＣ２００は、折り目２１０の折り返しとシャーシ部１０１との接触部の間隔Ｗｃが、隣り合う折り目２１０間の間隔Ｗａよりも短くなるように、設置される。これにより、折り目２１０と折り目２１０との間には、ＦＦＣ２００が有する弾性力により、シャーシ部１０１に接触する折り目２１０を起点として背面側にアーチ状に突出した（シールド面２０６が凸状となる）領域が形成される。
【００６３】
例えば、信号基板１１０とＴＣｏｎ基板１２０とを電気的に接続するＦＦＣを、折り目２１０を設けず、コネクタ１１１とコネクタ１２１との離間距離Ｗｂに実質的に等しい長さに設定したとする。この構成は、ＦＦＣが表示パネルのシャーシ部１０１に接触する可能性が低く、理想的である。しかし、現実的には、ＦＦＣを製造するときに、ＦＦＣの長さにバラつきが生じ、コネクタ１１１とコネクタ１２１との離間距離Ｗｂよりも長さが短いＦＦＣが製造されることがある。そのようなＦＦＣは、表示装置１００に使用できない。このような問題の発生を防止するためには、ＦＦＣの長さを、コネクタ１１１とコネクタ１２１との離間距離Ｗｂよりも長くする必要がある。しかし、単に長さを長くしただけで折り目２１０を設けていないＦＦＣは、信号基板１１０とＴＣｏｎ基板１２０とを電気的に接続したときに「たわみ」が生じ、ＦＦＣと表示パネルのシャーシ部１０１とに予期しない面接触が生じる可能性がある。
【００６４】
本実施の形態では、ＦＦＣ２００を、離間距離Ｗｂよりも長いサイズに設定するとともに折り目２１０を設けた構成とする。これにより、製造時のバラつきによりコネクタ同士を電気的に接続できないような短いＦＦＣが製造される、といった問題を防止することができる。さらに、信号基板１１０とＴＣｏｎ基板１２０とをＦＦＣ２００によって電気的に接続したときに、ＦＦＣ２００が有する弾性力により、各折り目２１０を表示パネルのシャーシ部１０１に押圧する力をＦＦＣ２００に生じさせることができる。これにより、ＦＦＣ２００には、折り目２１０と折り目２１０との間に、折り目２１０を起点として背面側にアーチ状に突出した領域が形成され、折り目２１０の折り返しは表示パネルのシャーシ部１０１に押し付けられる。したがって、表示装置１００では、この折り目２１０が支えとなり、ＦＦＣ２００は、表示パネルのシャーシ部１０１上に安定した状態で維持される。
【００６５】
本実施の形態では、さらに、図５Ｂに示すように、ＦＦＣ２００の折り目２１０の位置にワイヤーハーネス３００を配置して、表示パネルのシャーシ部１０１とワイヤーハーネス３００との間に折り目２１０を挟み込み、この状態が維持されるようにワイヤーハーネス３００をシャーシ部１０１に接着テープ４００等で固定してもよい。これにより、ＦＦＣ２００には、折り目２１０を表示パネルのシャーシ部１０１に押圧する力がワイヤーハーネス３００によって加えられ、ＦＦＣ２００の折り目２１０がシャーシ部１０１から浮き上がることが防止される。したがって、ＦＦＣ２００をより安定な状態でシャーシ部１０１上に維持することができる。
【００６６】
［１−２．動作］
以上のように構成された表示装置１００において、ＦＦＣ２００を伝送する信号の周波数と減衰量との関係を説明する。
【００６７】
図６は、実施の形態１における表示装置１００に設置されたＦＦＣ２００を流れる信号の周波数と減衰量との関係を示す図である。図６において、横軸は信号の周波数（ＧＨｚ）を示している。縦軸は信号の減衰量（ｄＢ）を示しており、下方ほど（マイナスの数値が大きくなるほど）減衰量が大きくなることを示している。
【００６８】
なお、図６に示すグラフは、信号基板１１０とＴＣｏｎ基板１２０との間を長さ約４００ｍｍのＦＦＣ２００で電気的に接続し、ＦＦＣ２００を伝送する信号の周波数を変えながら入力信号と出力信号の振幅比を計測する、という実験の結果をまとめたものである。また、図６には、本実施の形態に示す構成にもとづく実験結果を示すグラフＰとの比較のために、グラフＱ、Ｒ１、Ｒ２を示す。
【００６９】
図６において、グラフＰは、ＦＦＣ２００に約５０ｍｍ間隔で５つの折り目２１０を設け、各折り目２１０の折り返し幅Ｗｄを数ｍｍ（約５ｍｍ）に設定し、それら５つの折り目２１０を、上述と同様の構成で表示パネルのシャーシ部１０１へ接触させた時の、ＦＦＣ２００を流れる信号の周波数と減衰量との関係を示すグラフである。
【００７０】
グラフＱは、ＦＦＣ２００に折り目２１０を設けず、ＦＦＣ２００の５箇所を、間を空けて、長さ４０ｍｍの接着テープで表示パネルのシャーシ部１０１に固定した時の、ＦＦＣ２００を流れる信号の周波数と減衰量との関係を示すグラフである。すなわちこの構成では、ＦＦＣ２００のうちの離散した５箇所（総計５×４０ｍｍ＝２００ｍｍの領域）が、接着テープによりシャーシ部１０１に接触している。
【００７１】
グラフＲ１は、ＦＦＣ２００に折り目２１０を設けず、ＦＦＣ２００に「たわみ」を生じさせ、ＦＦＣ２００のうちの約２００ｍｍの連続した領域を、ＦＦＣ２００の弾性力を利用して表示パネルのシャーシ部１０１に面接触させた時の、ＦＦＣ２００を流れる信号の周波数と減衰量との関係を示すグラフである。
【００７２】
グラフＲ２は、ＦＦＣ２００に折り目２１０を設けず、ＦＦＣ２００を長さ２００ｍｍの接着テープで表示パネルのシャーシ部１０１に固定した時の、ＦＦＣ２００を流れる信号の周波数と減衰量との関係を示すグラフである。
【００７３】
グラフＱ、Ｒ１、Ｒ２に関する実験は、ＦＦＣ２００のうちの約２００ｍｍの領域が表示パネルのシャーシ部１０１に接触している点で共通している。
【００７４】
なお、図６には、表示装置１００の表示部に表示する映像に、実質的に影響を与えない減衰量の下限を示す基準線を、破線で示している。したがって、図６に示すグラフからは、この基準線よりも減衰量が大きい（基準線よりも下側にグラフがある）ときは、表示部に表示する映像に何らかの影響を与える可能性があり、この基準線よりも減衰量が小さい（基準線よりも上側にグラフがある）ときは、表示部に表示する映像に実質的に影響を与えない、ということが分かる。
【００７５】
図６に示すように、グラフＱは、どの周波数においても減衰量が基準線を越えていない（基準線よりも上側にグラフがある）。一方、グラフＲ１とグラフＲ２は、いずれも減衰量が基準線を越えている領域（基準線よりも下側の領域）がある。
【００７６】
グラフＱが示す実験結果と、グラフＲ１、Ｒ２が示す実験結果との差は、ＦＦＣ２００と表示パネルのシャーシ部１０１とが、離散して接触している（グラフＱ）のか、連続して接触している（グラフＲ１、Ｒ２）のか、の違いにより生じたと考えられる。グラフＱ、Ｒ１、Ｒ２のいずれの実験においても、シャーシ部１０１に接触しているＦＦＣ２００の長さの総和は２００ｍｍであり互いに等しい。しかし、グラフＱと、グラフＲ１、Ｒ２との比較により、ＦＦＣ２００とシャーシ部１０１とが連続して接触している方が信号の減衰量はより大きくなり、離散して接触している方が信号の減衰量はより小さくなることがわかる。
【００７７】
これらのことから、ＦＦＣ２００を伝送する信号の減衰量を抑制するためには、ＦＦＣ２００とシャーシ部１０１とを接触させるとき、接触領域を連続して設けるよりも、接触領域を離散させる方が望ましいことがわかる。
【００７８】
なお、グラフＲ１が示す実験結果とグラフＲ２が示す実験結果との差は、ＦＦＣ２００とシャーシ部１０１とが、ＦＦＣ２００の弾性力等によって接触している（グラフＲ１）のか、接着テープによって接触している（グラフＲ２）のか、の違いにより生じたと考えられる。グラフＲ１とグラフＲ２との比較により、接着テープを用いてＦＦＣ２００をシャーシ部１０１に固着させる方が減衰量がより大きくなることがわかる。このことから、ＦＦＣ２００とシャーシ部１０１とを接触させるとき、接着テープ等を用いない方が望ましいことがわかる。
【００７９】
次に、グラフＰについて説明する。図６に示すように、グラフＰとグラフＱとを比較すると、グラフＱの方がグラフＰよりもやや減衰量が大きい。
【００８０】
グラフＰが示す実験結果と、グラフＱが示す実験結果との差は、ＦＦＣ２００と表示パネルのシャーシ部１０１との接触面積の違いにより生じたと考えられる。グラフＰの実験では、折り目２１０に設けた折り返しの幅は数ｍｍ（約５ｍｍ）である。一方、グラフＱの実験では、折り目２１０に設けた折り返しの幅は約４０ｍｍである。グラフＰとグラフＱとの比較により、ＦＦＣ２００とシャーシ部１０１との接触面積が少ないほど減衰量がより小さくなることがわかる。
【００８１】
しかしながら、グラフＰとグラフＱのいずれも減衰量は基準線を越えていない（基準線よりも上側にグラフがある）ので、グラフＰの実験とグラフＱの実験のいずれの構成も、映像の表示に関して実質的に問題はないと考えられる。このことから、折り目２１０に設ける折り返しの幅は、４０ｍｍ程度までは許容される（表示映像に実質的に影響を与えない）と考えられる。
【００８２】
以上のことから、本実施の形態では、信号基板１１０とＴＣｏｎ基板１２０との間を電気的に接続するＦＦＣ２００に、折り目２１０を設け、折り目２１０に設けた折り返しが表示パネルのシャーシ部１０１に離散的に接触するようにＦＦＣ２００を表示装置１００に設置する。こうして、ＦＦＣ２００とシャーシ部１０１との接触領域を離散させるとともに、接触面積を相対的に少なくする。これにより、回路基板間で送受信する信号が高周波（数ＧＨｚ）であっても、その高周波信号がＦＦＣ２００を伝送する際の減衰量を低減することができる。
【００８３】
なお、折り目２１０に設ける折り返しの幅は、上述したようにできるだけ狭い方が望ましいが、「０」にすることは物理的にできない。折り目２１０に設ける折り返しの幅の下限は、ＦＦＣ２００を形成する素材の物性等にもとづき決まる。これらのことから、ここでは折り目２１０に設ける折り返しの幅を約５〜４０ｍｍとするが、本実施の形態は、折り目２１０に設ける折り返しの幅を何らこの数値に限定するものではない。
【００８４】
［１−３．効果等］
以上のように、本実施の形態において、電子機器は、第１の回路が搭載された第１の回路基板と、第２の回路が搭載された第２の回路基板と、支持部と、フレキシブルフラットケーブルと、を備える。フレキシブルフラットケーブルは、支持部上に配置され、第１の回路基板と第２の回路基板とを互いに接続し、第１の回路と第２の回路との間で送受信される信号を伝送するように構成されている。そして、フレキシブルフラットケーブルに折り目を設け、その折り目が支持部に接触するようにフレキシブルフラットケーブルは設置される。
【００８５】
フレキシブルフラットケーブルは、支持部と接触する折り目を起点としてアーチ状に突出した領域が生じるように設置されてもよい。
【００８６】
フレキシブルフラットケーブルは、複数の折り目を有し、折り目と支持部との接触部間の間隔が、隣り合う折り目間の間隔よりも短くなるように設置されてもよい。
【００８７】
フレキシブルフラットケーブルは、シールド面と信号面とを備え、シールド面が谷折りとなり信号面が山折りとなるように折り目が形成されてもよい。
【００８８】
また、本実施の形態において、表示装置は、映像を表示する表示部およびその表示部を支える支持部を有する表示パネルと、第１の回路が搭載された第１の回路基板と、第２の回路が搭載された第２の回路基板と、フレキシブルフラットケーブルと、を備える。フレキシブルフラットケーブルは、支持部上に配置され、第１の回路基板と第２の回路基板とを互いに接続し、第１の回路と第２の回路との間で送受信される信号を伝送するように構成されている。そして、フレキシブルフラットケーブルに折り目を設け、その折り目が支持部に接触するようにフレキシブルフラットケーブルは設置される。
【００８９】
なお、本実施の形態において、表示装置１００は上述の電子機器または表示装置の一例であり、シャーシ部１０１は上述の支持部の一例であり、信号処理回路は上述の第１の回路の一例であり、駆動回路は上述の第２の回路の一例であり、信号基板１１０は上述の第１の回路基板の一例であり、ＴＣｏｎ基板１２０は上述の第２の回路基板の一例であり、ＦＦＣ２００は上述のフレキシブルフラットケーブルの一例であり、折り目２１０は上述の折り目の一例であり、間隔Ｗｃは上述の「折り目と支持部との接触部間の間隔」の一例であり、間隔Ｗａは上述の「隣り合う折り目間の間隔」の一例であり、シールド面２０６は上述のシールド面の一例であり、信号面２０７は上述の信号面の一例である。
【００９０】
従来技術では、複数の回路基板をＦＦＣで互いに接続する構成の電子機器において、金属材料で形成された支持部とＦＦＣとの面接触を防止するために、例えば、樹脂クランパ等でＦＦＣを支えたり、支持部とＦＦＣとの間にスポンジ等の絶縁部材を挟み込む等して、支持部とＦＦＣとの間に間隙を設ける対策がとられることが一般的である。あるいは、面接触しても信号が減衰しないように、両面に電磁波ノイズを遮蔽するためのシールド層を設けた両面シールド型ＦＦＣや、細線同軸ケーブル等を使用する、といった対策がとられる事もある。しかしながら、このような対策は、電子機器に使用する部品点数が増加したり、部品が高価になったりするため望ましくない。
【００９１】
しかし、本開示によれば、実施の形態に一例を示したように、ＦＦＣ２００に設けた折り目２１０がシャーシ部１０１に接触してＦＦＣ２００を支えるので、上述したような従来技術の構成を用いずとも、ＦＦＣ２００とシャーシ部１０１との面接触を防止しつつＦＦＣ２００を安定な状態でシャーシ部１０１上に維持することができる。さらに、ＦＦＣ２００とシャーシ部１０１との接触領域が離散され、接触面積も相対的に少なくなるので、回路基板間で送受信する信号が高周波（数ＧＨｚ）であっても、その高周波信号をＦＦＣ２００が伝送する際の減衰量を低減することができる。
【００９２】
これにより、例えば大画面の４ｋ２ｋパネルを備えた液晶テレビ等、高周波信号を回路基板間で送受信するように構成され、かつ回路基板間の離間距離が相対的に大きい電子機器でも、ＦＦＣを伝送する高周波信号の減衰量を低減することができる。したがって、上述したような従来技術の構成を用いずとも、回路基板間での高周波信号の送受信をＦＦＣを介して安定に行うことができる。
【００９３】
（他の実施の形態）
以上のように、本出願において開示する技術の例示として、実施の形態１を説明した。しかしながら、本開示における技術は、これに限定されず、変更、置き換え、付加、省略等を行った実施の形態にも適用できる。また、上記実施の形態１で説明した各構成要素を組み合わせて、新たな実施の形態とすることも可能である。
【００９４】
そこで、以下、他の実施の形態を例示する。
【００９５】
実施の形態１では、電子機器の一例として、表示装置１００を説明した。しかし、電子機器は、表示装置１００に限定されない。電子機器は、複数の回路基板がＦＦＣで互いに接続され、ＦＦＣを介して回路基板間で信号の送受信を行うように構成されていればよい。したがって、電子機器は、液晶以外のパネル（例えば、ＥＬ（Ｅｌｅｃｔｒｏ  Ｌｕｍｉｎｅｓｃｅｎｃｅ）パネル、等）を備えた表示装置、ビデオカメラなどの映像信号記録装置、携帯用端末装置、計測装置、製造装置、パーソナルコンピュータやサーバコンピュータ、等であってもよい。
【００９６】
また、実施の形態１では、支持部の一例としてシャーシ部１０１を説明したが、支持部は、シャーシ部１０１に限定されるものではない。金属材料で形成された板状のもの（金属板、等）を支持部とする電子機器であれば、本実施の形態に示した効果と同様の効果を得ることが可能である。
【００９７】
また、両面が信号面の（すなわち、シールド層を備えない）ＦＦＣであっても、実施の形態１に示した構成と同様の構成にすることで、実施の形態１に示した効果と同様の効果を得ることが可能である。
【００９８】
また、ＦＦＣを伝送する信号はＧＨｚ帯の高周波信号でなくてもよい。ＦＦＣを伝送する信号はＭＨｚ帯の信号やｋＨｚ帯の信号であってもよい。
【００９９】
また、第１の回路は信号処理回路以外の回路であってもよく、第２の回路は駆動回路以外の回路であってもよい。
【０１００】
なお、実施の形態に示したＦＦＣ２００に設ける折り目２１０の数、折り目２１０の間隔、および折り返しの幅、等の数値は単なる一例であり、何ら上述した数値に限定されるものではない。ＦＦＣに設ける折り目の数、折り目の間隔、および折り返しの幅、等は、ＦＦＣを使用する電子機器（または表示装置）の仕様や大きさ、およびＦＦＣの素材や大きさ等に応じて、適切に設定することが望ましい。
【産業上の利用可能性】
【０１０１】
本開示は、回路基板間で互いに送受信する高周波信号をＦＦＣを通して伝送する電子機器に適用可能である。具体的には、テレビジョン受像機やモニター装置等の表示装置、ビデオカメラなどの映像信号記録装置、携帯用端末装置、計測装置、製造装置、パーソナルコンピュータやサーバコンピュータ、等に本開示は適用可能である。
【符号の説明】
【０１０２】
１００    表示装置
１０１    シャーシ部
１０２    電源基板
１０３    スピーカー
１０４    モジュール部
１１０    信号基板
１１１，１２１    コネクタ（レセプタクルコネクタ）
１１２    端子群
１１３，１１４，１１５    コネクタ
１２０    ＴＣｏｎ基板（タイミングコントローラ基板）
２００    ＦＦＣ
２０１    導体
２０２ａ，２０２ｂ    絶縁体皮膜
２０３    誘電体
２０４    導体
２０５    絶縁体
２０６    シールド面
２０７    信号面
２０８    端部
２１０    折り目
３００    ワイヤーハーネス
３５０    ケーブル
４００    接着テープ
【図１】
2015145975.tif 000003
【図２】
2015145975.tif 000004
【図３】
2015145975.tif 000005
【図４Ａ】
2015145975.tif 000006
【図４Ｂ】
2015145975.tif 000007
【図５Ａ】
2015145975.tif 000008
【図５Ｂ】
2015145975.tif 000009
【図６】
2015145975.tif 000010
【国際調査報告】
2015145975.tif 000011
2015145975.tif 000012
2015145975.tif 000013
2015145975.tif 000014